(57)【要約】【課題】ロッキングに際して後退及び後傾動する中間金具に座を取付けてなるシンクロタイプの椅子において、チャイルドガード機能に優れた基準以上の安全性を確保する。【手段】座３は座アウターシェル１５を備えており、座アウターシェル１５は中間金具１７のサイドフレーム３１′，３１″に前後位置調節可能に取付けられている。中間金具１７はベース２に後退動及び後傾動可能に連結されている。ベース２はベースカバー５２で覆われている一方、サイドフレーム３１′，３１″には中間カバー５５，５６が取付けられている。中間カバー５５，５６の下端は前後方向の全体にわたってベースカバー５２の外側面に密接している。このため、仮に幼児が椅子を触っている状態でロッキングしても、中間金具１７とベースカバー５２との間に指を挟むことはない。【選択図】図１１
2008302083.tif 000002
【特許請求の範囲】
【請求項１】
脚支柱の上端に固定されたベースと、前記ベースの上方に配置した座と、前記座の後方に配置した背もたれとを備えており、前記ベースの前部には、前記座を取付けた中間金具が少なくとも後傾動し得るように連結されており、前記ベースのうち中間金具の連結箇所よりも後ろの部位には、前記背もたれを設けた傾動フレームが後傾動自在に連結されており、中間金具と傾動フレームとを相対回動可能に連結することにより、背もたれの後退動に連動して座が少なくとも後傾するようになっている、
いう椅子であって、
前記中間金具はベースの左右外側又は上方に配置された前後長手の一対のサイド部を備えており、前記左右のサイド部は、その前部はベースに後傾可能及び後退動可能に連結されており、サイド部の後部は傾動フレームに相対回動可能に連結されており、更に、前記中間金具のサイド部に、当該サイド部とベースとの間に人が指を挿入できなくする中間カバーが取付けられている、
ロッキング椅子。
【請求項２】
前記中間金具には座が前後位置調節可能に取付けられている一方、
前記ベースは少なくともその左右側面部がベースカバーで覆われており、前記中間カバーの内面とベースカバーの外側面との間隔を人の指が挿入できない狭い間隔に設定している、
請求項１に記載したロッキング椅子。
【発明の詳細な説明】
【技術分野】
【０００１】
本願発明は、座が背もたれに連動して後傾（及び後退）するシンクロタイプのロッキング椅子に関するものである。
【背景技術】
【０００２】
ロッキング椅子の一つのタイプとして、背もたれが後傾する（ロッキングする）と座も一緒に後退しつつ後傾するシンクロタイプがある。このシンクロタイプの椅子は、ロッキングに際して座が後退することによっていわゆるシャツ捲れや背ずれを防止または抑制でき、また、ロッキングに際して座が後傾することで安楽性を向上できる。このため、オフィス用の椅子では広く普及している。
【０００３】
そして、座を背もたれに連動させる（シンクロさせる）手段には様々の機構が提案されかつ実施されているが、その例として、脚支柱の上端に固定されたベースと、座が取り付く中間金具（中間支持体）と、背もたれが取付けられた傾動フレームとの三者を軸（ピン）で相対回動可能に連結した一種のリンク方式があり、その例が特許文献１，２に開示されている。
【０００４】
座は強度メンバーとして樹脂製等のアウターシェルを備えていることがあり、この場合、アウターシェルとベース及び傾動フレームとを直接に連結することも可能であるが、中間金具を採用すると、両特許文献に開示されているように、座を中間金具に前後位置調節可能に取り付けできる等の利点がある。
【特許文献１】特開２００３−１３５１９６号公報
【特許文献２】実開２００５−１３１２５１号公報
【発明の開示】
【発明が解決しようとする課題】
【０００５】
両引用文献とも中間金具とベースとの間に隙間が空いており、ロッキングによって隙間の間隔は小さくなる傾向を呈する。このため、仮に人が中間金具とベースとの間の空間に指を挿入した状態でロッキングすると、指が中間金具とベースとの間に挟まれて怪我をする可能性がある。しかし、特許文献１，２の椅子はいずれも大人が主としてオフィスで使用することを想定しており、使用者が自分で指を中間金具とベースとの間に差し込んだ状態でロッキングすることは有り得ない。
【０００６】
また、使用者でない人がわざわざ中間金具とベースとの間に指を差し込む危険を冒すことも皆無である。更に、例えば在宅勤務の広がりやホームオフィスの浸透によって幼児がいる環境下で成人が使用するケースも有り得るが、幼児が近くにいる場合は椅子の使用者は気を付けているので、現実には危険はない。従って、大人が使用する場合は、安全性はクリアーされていると言える。
【０００７】
ところで、幼児は椅子を一種のおもちゃとして認識する可能性があり、危険性を認識せずに無意識に指で椅子のあちこちを触ったり、隙間があれば指を差し込んでみたりといった行動を採ることがないとも言えない（その可能性は極めて低いが。）。この場合、椅子の使用者が大人である場合は注意しているので問題はないが、椅子の使用者が児童や生徒である場合、幼児（例えば弟や妹）への配慮が足りずに、幼児が椅子に触れている状態でロッキングする可能性がないとも言えない。
【０００８】
幼児が椅子をおもちゃとして触ることも、幼児が椅子を触っている状態で使用者がロッキングすることも、ロッキングが幼児の怪我に結びつくことも、いずれも可能性があるというだけで現実に起きるか否かは不明であるが、予見される危険性は可能な限り排除しておくのが家具メーカーの責任であると言える。
【０００９】
本願発明はこのような認識を基礎に成されたものであり、通常の許容基準よりも更に高いグレードの安全性が確保された椅子を提供することを課題とするものである。
【課題を解決するための手段】
【００１０】
本願発明の椅子は、主要要素として、脚支柱の上端に固定されたベースと、前記ベースの上方に配置した座と、前記座の後方に配置した背もたれとを備えており、そして、前記ベースの前部には、前記座を取付けた中間金具が少なくとも後傾動し得るように連結されており、前記ベースのうち中間金具の連結箇所よりも後ろの部位には、前記背もたれを設けた傾動フレームが後傾動自在に連結されており、中間金具と傾動フレームとを相対回動可能に連結することにより、背もたれの後退動に連動して座が少なくとも後傾するようになっている。これを基本構成としている。
【００１１】
そして、請求項１の発明では、上記の基本構成において、前記中間金具はベースの左右外側又は上方に配置された前後長手の一対のサイド部を備えており、前記左右のサイド部は、その前部はベースに後傾可能及び後退動可能に連結されており、サイド部の後部は傾動フレームに相対回動可能に連結されており、更に、前記中間金具のサイド部に、当該サイド部とベースとの間に人が指を挿入できなくする中間カバーが取付けられている。
【００１２】
請求項２の発明では、請求項１において、前記中間金具には座が前後位置調節可能に取付けられている一方、前記ベースは少なくともその左右側面部がベースカバーで覆われており、前記中間カバーの内面とベースカバーの外側面との間隔を人の指が挿入できない狭い間隔に設定している。
【発明の効果】
【００１３】
本願発明では、中間金具に中間カバーを設けているため、仮に中間金具とベースとの間に幼児等が指を差し込もうとしても、指は中間カバーにガードされて中間金具とベースとの間に差し込むことはできず、このため、幼児が椅子を触った状態のままで使用者がロッキングする事態が生じても、指を挟んで怪我するような事故に至ることはない。
【００１４】
このように、本願発明におけるシンクロタイプの椅子は通常の基準以上の高い安全性を確保することができるのであり、従って、本願発明に係る椅子は、児童・生徒（或いはお年寄り）が家庭で使用する椅子として好適である。見方を変えて述べると、本願発明により、椅子が使用される環境下でのチャイルドガード機能を高めることでき、その結果、シンクロタイプの椅子を児童・生徒が家庭で使用する椅子として普及させ得ると言える。
【発明を実施するための最良の形態】
【００１５】
次に、本願発明の実施形態を図面に基づいて説明する。本実施形態は、児童・生徒が学習机とセットで使用する椅子に適用しているが、勿論、事務用椅子のような成人用の椅子にも使用できる。
【００１６】
(1).椅子の概要
まず、図１〜図５に基づいて概要を説明する。図１は椅子を前方から見た斜視図、図２のうち（Ａ）は正面図で（Ｂ）は側面図、図３は縦断側面図、図４は座を中心にした分離斜視図で、図５は傾動フレーム及び背フレームの斜視図である。
【００１７】
椅子は、主要要素として、キャスター付きの脚１と、脚１の上端に固定したベース２と、ベース２の上方に配置された座３と、座３の後方及び上方に配置された背もたれ４と、オプション品としての肘掛け装置５とを備えている（図２（Ｂ）では肘掛け装置５は表示していない。）。脚１は伸長自在及び回転自在な脚支柱（ガスシリンダ）６を備えており、脚支柱６の上端にベース２が固定されている。
【００１８】
また、脚１は放射状に延びる５本の枝足７を備えており、隣り合った３本の枝足７に平面視円弧状のステップ板８を固定している。敢えて説明するまでもないが、ステップ板は、児童が机を適正に使用する状態で床に足が届かないときに足を載せるためのものである。ベース２の外側には、ロッキング用ばねの弾性を調節するためのハンドル９、座３を高さ調節するに際して脚支柱６のロックを解除する昇降レバー１０、座３の前後位置を調節するに際してロックを解除する前後レバー１１が露出している。
【００１９】
図３及び図４に示すように、座３は、樹脂製の座インナーシェル（座板）１２とその上面に張った座クッション１３とを備えており、座クッション１３はクロスで覆われている。
【００２０】
座インナーシェル１２には、下向きに沈むように変形してクッション性を高めるために多数のスリット１４を形成している。スリット１４は主として座インナーシェル１２の後半部に形成している。座インナーシェル１２は、その下方に配置された座アウターシェル（座受け部材）１５にビス１６で固定されている。座アウターシェル１５は座インナーシェル１２を支持する強度メンバーとして機能するもので、その下方に配置した金属製の中間金具１７に前後位置調節可能に支持されている（詳細は後述する。）。
【００２１】
背もたれ４は、図５に示す正面視四角形の金属製背フレーム１８を備えており、背フレーム１８の前面に背インナーシェル１９（図１参照）が取付けられており、また、背インナーシェル１９の前面に背クッション２０が張られている。背クッション２０と背インナーシェル１９とは袋状のクロス２１ですっぽり覆われている。背フレーム１８は、当該背フレーム１８と相似形（四角形）の裏カバー２２（図２（Ｂ）参照）で裏側から覆われている。
【００２２】
背フレーム１８の下端部には、ベース２の左右外側において略前後方向に延びる左右の傾動フレーム２３の後端が溶接によって固着されている。傾動フレーム２３はベース２に後傾動自在に連結されており、また、既述の肘掛け装置５は傾動フレーム２３に固定されている。
【００２３】
(2).部材の詳細・ロッキング機構・シンクロ機構
背もたれ４は後傾動し（ロッキングし）、また、座３は背もたれ４の後傾動に連動して（シンクロして）後退しつつ後傾する。次に、このロッキング機構と座シンクロ機構及びその周辺の部材の詳細を、従前の図に加えて図６〜図９も参照して説明する。
【００２４】
図６うち（Ａ）はベース２を中心にした支持機構部を上方から見た斜視図、（Ｂ）は支持機構部を下方から見た斜視図、図７は主として中間金具１７とベース２との関係を示す分離斜視図、図８のうち（Ａ）は座アウターシェル１５を裏返して後ろから見た斜視図、（Ｂ）は中間金具１７を分離して表示した（Ａ）のＢ−Ｂ視断面図、（Ｃ）は中間カバーの斜視図、図９は主としてベース２と背フレーム１８との関係を示す分離斜視図である。
【００２５】
本実施形態では、中間金具１７の前部が第１軸２５にてベース２の前部に後傾自在及び後退自在に連結され、傾動フレーム２１がベース２の後部に第２軸２６によって後傾可能に連結され、更に、中間金具１７の後部が傾動フレーム２１の前後中途部に第３軸２７で回動可能に連結されており、これらの一種のリンク機構によって背もたれ４がロッキング（後傾）すると共に、座３が背もたれ４の後傾動に連動して後退しつつ後傾するようになっており、かつ、背もたれ４のロッキングと座３のシンクロとが主としてロッキング用ばね２８で弾性的に支持されている。以下、説明する。
【００２６】
例えば図７や図９に明示するように、ベース２は左右側板２ａを備えた上向き開口の箱状に形成されており、その後部に、脚支柱５が嵌着するインナーブラケット２９を固着している。
【００２７】
中間金具１７は前後長手で平行に延びる左右のサイドフレーム３１′，３１″を備えており、左右のサイドフレーム３１′，３１″の前部には丸パイプ製の第１軸２５が溶接にて固着され、後部には丸パイプ製の第３軸２７が溶接にて固着されている。サイドフレーム３１′，３１″は上フランジ３１ａを有する断面逆Ｌ形であり、以下の手段により、上フランジ３１ａに座アウターシェル１５がスライド可能に嵌まっている。
【００２８】
まず、サイドフレーム３１′，３１″について述べると、左右のサイドフレーム３１′，３１″におけるフランジ３１ａの前後中途部には、前後方向に延びる抉り部３２が形成されている。他方、図８（Ａ）（Ｂ）に示すように、座アウターシェル１５の下面には、サイドフレーム３１′，３１″の内側面に位置する左右の内ガイドリブ３３と、サイドフレーム３１′，３１″の上フランジ３１ａを抱持する鉤形の左右の外ガイド片３４，３５の群とが形成されている。外ガイド片３４，３５は、射出成形におけるいわゆる抜き違い法によって形成されており、外ガイド片３４，３５の群により、座アウターシェル１５はサイドフレーム３１に前後動可能に取付けられている。
【００２９】
この場合、手前側に位置した外ガイド片３４の群と奥側に位置した外ガイド片３５の群との間にはある程度の寸法の間隔が空いている。そして、奥側に位置した外ガイド片３５の群の全体の前後長さ寸法Ｌ１はサイドフレーム３１′，３１″における抉れ部３２の前後長さ寸法Ｌ２よりもやや小さく、また、前後の外ガイド片３４，３５の間の間隔寸法Ｌ３は、サイドフレーム３１′、３１″における上フランジ３１ａのうち抉り部３２よりも手前の部分の長さ寸法Ｌ４よりも大きい。
【００３０】
上記Ｌ１〜Ｌ４の寸法関係により、座アウターシェル１５における奥側の外ガイド片３５の群をサイドフレーム３１における抉り部３２に上方より嵌め込んでから、座アウターシェル１５の全体を奥側にスライドさせる、いう手順によって座アウターシェル１５をサイドフレーム３１′、３１″に取り付けることができる。
【００３１】
図７に示すように、左サイドフレーム３１′における上フランジ３１ａに前後位置調節用の係合溝３６が複数個切欠き形成されている一方、座アウターシェル１５には、前記係合溝３６に係脱する爪部を有する前後レバー１１が取付けられている。前後レバー１１が係合溝３６に嵌まることにより、座アウターシェル１５はサイドフレーム３１′，３１″に対して抜け不能に保持されている。
【００３２】
図７に示すように、左サイドフレーム３１′における上フランジ３１ａのうち係合溝３６の群の手前の部分には補助切欠き３７が形成されており、前後レバー１１の一部が補助切欠き３７の箇所に位置している。換言すると、前後レバー１１との緩衝を回避するために、左サイドフレーム３１′に補助切欠き３７を形成している。
【００３３】
例えば図７から理解できるように、ベース２における左右側板２ａの前部には、第１軸２５を軸支するための前向き開口溝３９が形成されている。そして、第１軸２５には、ベース２の前向き開口溝３９に入り込む左右のフロントブッシュ４０と、左右フロントブッシュ４０の間に挟まれた前部ばね受け４１とが被嵌している。左右フロントブッシュ４０はベース２にねじで固定されている。
【００３４】
第１軸２５の左右中間部には横ずれ防止用のストッパー材４２が固定されている。左右フロントブッシュ４０は合成樹脂製で側面視Ｕ字状に形成されており、その空所に第１軸２５が前後摺動自在に嵌まっている。前部ばね受け４１は、第１軸２５が嵌まるように後向き開口の側面視Ｕ字状に形成されている。
【００３５】
ベース２の内部には、インナーブラケット２９の前壁面で左右スライド可能に支持されたばね受けスライダー４３が配置されており、ばね受けスライダー４３には後部ばね受け４４が嵌まっている。前後のばね受け４１，４４でロッキング用ばね２８が挟まれている。ハンドル９を回転操作するとばね受けスライダー４３が左右移動し、すると、くさび作用により、後部ばね受け４４は前後移動する。これによってロッキング用ばね２８の初期弾性力が変化する。
【００３６】
傾動フレーム２１は断面小判形の金属パイプ（鋼管）を使用しており、既述のとおり、ベース２の左右外側に配置されている。そして、左右傾動フレーム２１の前端部には丸パイプ製の第２軸２６が固着されている。図９から容易に理解できるように、第１軸２５は、上センターブッシュ４５と下センターブッシュ４６とで上下から挟まれており、かつ、上下センターブッシュ４５，４６はセンター金具４７を介してベース２の下面に固定されている。上センターブッシュ４５はベース２に対して左右動不能に嵌まっている。
【００３７】
図３（Ｂ）に示すように、第３軸２７は、左右傾動フレーム２１に架け渡すように配置された金属板製ブリッジ部材４８に、二つ割り式の合成樹脂製リアブッシュ４９及び押さえ用のリア金具５０にて連結されている。ブリッジ部材４０は背フレーム１８に溶接で固着されている。
【００３８】
ベース２の後端と背フレーム１８の下端との間には、背もたれ４を任意の後傾角度に保持できる背用ガスシリンダ５１を配置している（ガスシリンダ５１はロッキング及び座３のシンクロの弾性的な支持機能も備えている。）。背用ガスシリンダ５１はベース２と背フレーム１８とに相対回動可能に連結されている。このため、例えば図５に示すように、背フレーム１８の下部の左右中間部には連結用突起部５２が突設されており、また、左側の傾動フレーム２１の後部にはブラケット５３が固着されており、このブラケット５３には、背用ガスシリンダ５１をロック状態とフリー状態とに切り替えるレバー（図示せず）が取付けられている。
【００３９】
既述のとおり、着座した人が背もたれ４に凭れかかると、背もたれ４はロッキング用ばね２８及び背用ガスシリンダ５１の弾性に抗して第２軸２６を中心に後傾動し、他方、座３は第３軸２７による引っ張り作用と第１軸２５のスライドとにより、後傾しつつ後退動する。言うまでもないが、座３の後傾の度合いは背もたれ４の後傾の度合いよりも遥かに小さい。背もたれ４及び座３の後傾角度は、ブリッジ材４８がベース２の後部に設けたストッパー材２ｃに当たることで規制される。ストッパー材２ｃは硬質ゴムのような軟質材からなっている。
【００４０】
図３（Ａ）に明示するように、ベース２はその前部が高くなるように側面視で傾斜姿勢になっている。他方、図３（Ａ）や図４，図８（Ａ）に示すように、座アウターシェル１５は基本的には上向きに開口した浅い皿状になっており、その左右両側部に座インナーシェル１２を固定することにより、座インナーシェル１２が人の体圧で下向きに伸び変形すること（ベンディングすること）が許容されており、これにより、クッション性とフィット性とが確保されている。
【００４１】
この場合、座インナーシェル１２は着座者の臀部が当たる部分を中心に大きく沈み変形すれば良く、座インナーシェル１２の前半部は殆ど沈み変形する必要はない（そもそも座インナーシェル１２の前半部にはあまり荷重はかからないため、沈み変形しなくても大腿部に対する突っ張り感はない。）。
【００４２】
そこで、図３（Ａ）及び図４から容易に理解できるように、座アウターシェル１５の前半部でかつ左右中間部には、ベース２よりも広巾で座インナーシェル１２に向けて突出した上向き凹部１５ａが形成されており、この上向き凹部１５ａの存在により、ベース２の前部と座アウターシェル１５との間隔をできるだけ小さくしている（座２は身長が低い使用者に合わせてできるだけ下げ得るようにしておくのが好ましく、従って、ベース２と座アウターシェル１５との間隔はできるだけ小さいのが好ましい。）。
【００４３】
図２や図３（Ａ）に示すように、ベース２はそのほぼ全体がベースカバー５４で覆われている。ベースカバー５２は上下のパーツに区分されていてベース２に装着されており、第１軸２５や第２軸２６やレバー類９，１０とは干渉しないように配慮されている。
【００４４】
(3).中間カバー
図２，図６，図７等に示すように、中間金具１７のサイドフレーム３１には外側から中間カバー５５，５６が装着されている。この点を、従前の図に加えて図１０及び図１１も参照して説明する。図１０はベースカバー５４と中間カバー５５，５６との位置関係を示す側面図、図１１は他の部材も表示した状態での図１０の XI-XI視断面図である（なお、図１０に描いている点線の平行斜線は、断面表示ではなくて形態を明示するためのものである。）。
【００４５】
中間カバー５５，５６は、図１１に明示するように、サイドフレーム３１′，３１″のうち上フランジ部３１ａを除いた部分を外側から覆っており、外側板と周壁５７とを有することにより、サイドフレーム３１′，３１″に向けて開口した容器状の形態を成している。そして、内部には、第１軸２５に弾性的に嵌入する前部ボス体５８と第３軸２７に弾性的に嵌入する後部ボス体５９とを有しており、これら前後ボス体５８，５９により、サイドフレーム３１′，３１″に着脱自在となっている。
【００４６】
また、図７，図８（Ｃ），図１１等に示すように、中間カバー５５，５６の内部には、サイドフレーム３１′，３１″の鉛直部に重なるリブ６０を設けている。リブ６０はその下部が内向きに突出しており、このため、中間カバー５５，５６の下部はサイドフレーム３１′，３１″の内側にはみ出ている。換言すると、中間カバー５４，５５は上面の横幅より下面の横幅が大きくなっている。これは、ベース２とサイドフレーム３１′，３１″との間にはある程度の左右間隔が空いていることから、中間カバー５５，５６とベースカバー５２との隙間をできるだけ小さくするためである。
【００４７】
更に、右中間カバー５５の上面は全長にわたってフラットになっているが、左中間カバー５４の上面のうちその前寄り部位には、前後レバー１１との干渉を回避するための２段階状の段部６１が形成されている。
【００４８】
中間金具１７を構成するサイドフレーム３１′，３１″の鉛直片は、全体的には軸２５，２７の取付く部分が下向きに突出するように側面視で前後間の部分が抉られた形態になっている。他方、中間カバー５５，５６の側面視形態もおおよそはサイドフレーム３１′，３１″の側面視形態に準じており、側面視で前後中間部が下向き開口するように抉られた形態になっている（右中間カバー５６は下向き開口するように抉られているため、昇降レバー１０との干渉が回避されている。）。
【００４９】
そして、図１０に示すように、中間カバー５５，５６とベースカバー５４とは側面視で両者の間に隙間が生じないように重なっており、かつ、図１１に示すように、中間カバー５５，５６とベースカバー５２との間の隙間Ｓの間隔はごく僅かであり、従って、両者の間の隙間Ｓには幼児であっても指を差し込むことはできない。このように、本実施形態の椅子は極めて高いチャイルドガード機能を備えている。
【００５０】
中間カバー５５，５６をサイドフレーム３１′，３１″に取り付ける方法としては、例えばサイドフレーム３１′，３１″に係合穴を空けてこれに中間カバー５４，５５に設けたボスを弾性的に嵌め込むといった方法なども採用できるが、本実施形態のようにパイプからなる第１軸２５と第３軸２７とにボス体５８，５９を嵌め込む方式を採用すると、サイドフレーム３１′，３１″には特段の加工を要しないため、コストアップを回避できる利点がある。筒状のボス体で軸２５，２７を外側から抱持することも可能である。
【００５１】
(4).その他
本願発明は上記の実施形態の他にも様々に具体化できる。例えば、中間金具は上板の左右両側に下向きの側板が形成された下向き開口コ字状の形態にすることも可能である。また、本願発明は特許文献１のように中間金具の左右両側部で座を支持しているものにも適用できる。更に、本願発明において座は中間金具に前後位置調節不能に固定されていても良い。
【００５２】
また、中間金具は「金具」の名称が付されているが素材は金属製である必要はなく、樹脂製であっても良い。ベースがベースカバーを備えていない場合も有り得るが、この場合は、中間カバーをベースの側面に近接させたら良い。本願発明は、更に、ロッキングに連動して座が後傾のみする椅子にも適用できる。
【図面の簡単な説明】
【００５３】
【図１】実施形態に係る椅子を前方から見た斜視図である。
【図２】（Ａ）は正面図で（Ｂ）は側面図である。
【図３】縦断側面図である。
【図４】座を中心にした分離斜視図である。
【図５】傾動フレーム及び背フレームの斜視図である。
【図６】（Ａ）はベース２を中心にした機構部を上方から見た斜視図、（Ｂ）は機構部を下方から見た斜視図である。
【図７】主として中間金具とベースとの関係を示す分離斜視図である。
【図８】（Ａ）は座アウターシェルを裏返して後ろから見た斜視図、（Ｂ）は中間金具を分離して表示した（Ａ）のＢ−Ｂ視断面図、（Ｃ）は中間カバーの斜視図である。
【図９】主としてベースと背フレームとの関係を示す分離斜視図である。
【図１０】ベースカバーと中間カバーとの位置関係を示す側面図である。
【図１１】他の部材も表示した状態での図１０の XI-XI視断面図である。
【符号の説明】
【００５４】
１  脚装置
２  ベース
３  座
４  背もたれ
１５  座アウターシェル
１７  中間金具
２５，２６，２７  軸
３１′，３１″  サイドフレーム
５４  ベースカバー
５５，５６  中間カバー
５８，５９  ボス体
【図１】
2008302083.tif 000003
【図２】
2008302083.tif 000004
【図３】
2008302083.tif 000005
【図４】
2008302083.tif 000006
【図５】
2008302083.tif 000007
【図６】
2008302083.tif 000008
【図７】
2008302083.tif 000009
【図８】
2008302083.tif 000010
【図９】
2008302083.tif 000011
【図１０】
2008302083.tif 000012
【図１１】
2008302083.tif 000013